(57)【要約】【課題】各種電気機器に使用されるこの構成によって、例えば湿度９０％以上と極めて湿度が高く、温度差５度以内とあまり温度差がない環境間の移動でも、カセット蓋が開かれたことを条件として、結露の検出感度を上げることができる小型で優れた特性を持つ結露検出機能を有した磁気記録再生装置の作成を目的とする。【解決手段】カセット蓋開閉検出手段７でカセット蓋が開いていることを検出し、比較回路３３に入力する、判別しきい値を、基準電圧発生回路３２で下げる事により、結露センサ１からの入力に対して、実際に内部に結露が発生しやすい条件の時に、結露の検出をし易くする事ができる結露検出機能を有した磁気記録再生装置が得られる。【選択図】図１
2005203054.tif 000002
【特許請求の範囲】
【請求項１】
略密閉構造となった装置の結露を検出可能な結露検出装置であって、湿度を検出する湿度検出手段と、前記湿度検出手段で検出した湿度情報に基づき結露の発生を検出する結露検出手段と、装置の略密閉状態を開放及び閉鎖する開閉手段と、前記開閉手段の開閉状態を検出する開閉状態検出手段とを備え、前記結露検出手段は、前記開閉状態検出手段からの開閉状態情報に基づき結露検出感度を複数段階で切り換え可能とすることを特徴とする結露検出装置。
【請求項２】
湿度により抵抗値の変化する結露センサと、前記結露センサの抵抗値を電圧値の変化に変換する変換手段と、前記変換手段より出力された電圧値と所定のしきい値を比較することによって結露が発生したか、または結露が発生するおそれがある状態に至ったことを検出する検出手段と、カセット蓋が開いているのか、閉っているのかを検出するカセット蓋開閉検出手段と、前記手段からの入力を判別する判別機能と、判別機能の結果を受けてカセット蓋が開いている時に前記しきい値を低下させるしきい値可変手段を備えて構成したことを特徴とする結露検出機能を有した磁気記録再生装置。
【請求項３】
カセット蓋開閉検出手段からの入力により、カセット蓋が一度でも開かれたことを記憶しておくためのメモリを備え、カセット蓋が一度でも開かれた後、閉じられても前記メモリの情報をもとにして、しきい値を低下させ続けるように構成したしきい値可変手段を備えていることを特徴とする請求項２記載の結露検出機能を有した磁気記録再生装置。
【請求項４】
カセット蓋が最後に閉じてから、一定の時間を計測するタイマを備え、一定の時間経過後、メモリの情報をもとにして、一旦下げていたしきい値を、元のしきい値に戻すしきい値可変手段を備えていることを特徴とする請求項２記載の結露検出機能を有した磁気記録再生装置。
【発明の詳細な説明】
【技術分野】
【０００１】
本発明は、装置の結露を検出可能な結露検出装置と、それを用いて有効な磁気記録再生装置に関するものである。
【背景技術】
【０００２】
近年、磁気記録再生装置は広く普及し、例えば、可搬型カメラ一体型磁気記録再生装置（ビデオカメラなど）は、様々な気象環境下で使用されている。磁気記録再生装置は、回転シリンダーとテープとが密着して走行する構成のため、急激な温度および湿度の変化により、シリンダー表面に結露が発生した場合、テープがシリンダーに張り付き、テープダメージや、ヘッド目詰まり等の不具合を発生する。そのため、結露を検出して、自動的にテープ走行を止める、結露の発生を表示して、使用者に注意を促す等の様々な、テープ保護回路が、提案されている。
【０００３】
一方、テープ保護は極めて重要ではあるが、テープ保護を過剰に意識しすぎた場合、少しの環境変化でも、結露検出が動作することがある。その場合は、結露検出機能が、テープを走らせることや、映像と音声を記録することを止めるため、二度と無い撮影機会を逃すことになってしまう。そのようなことが無い用に、温度と湿度の急激に変化する環境下でも、できる限り撮影できることを、近年の磁気記録再生装置には、強く求められている。
【０００４】
以下に従来の磁気記録再生装置について説明する。
【０００５】
従来例の、２段階の結露検出機能を有した磁気記録再生装置は、特開２００３―２９６９８７号公報に記載されたものが知られている。その結露検出機能を有した磁気記録再生装置を図５に示す。
【０００６】
図５は従来の結露検出機能を有した磁気記録再生装置のブロック図を示すものである。図５において、１は結露センサである。２は変換回路で、結露センサ１の抵抗値の変化を電圧値の変化に変換する。３は結露検出機能を備えたマイクロコンピュータで、Ａ／Ｄ変換回路３１、基準電圧発生回路３２、比較回路３３、判別回路３４等を内部に備える。４は雰囲気温度センサである。５は装置温度センサであり、判別回路３４に接続する。
【０００７】
以上のように構成された従来の結露検出機能を有した磁気記録再生装置について、以下その動作について説明する。
【０００８】
まず、雰囲気温度センサ４と装置温度センサ５の２つのセンサを用いて、２つのセンサの温度差が例えば５度以上と大きい時、基準電圧発生回路３２で、結露検出の判別のためのしきい値を下げて、結露を検出し易くして、早く結露が検出できるようにしている。つまり、結露センサ１の出力を、変換回路２で電圧に変換し、マイクロコンピュータ３の内部の、Ａ／Ｄ変換回路３１でデジタル値に変換し、同じくマイクロコンピュータ３の内部の基準電圧発生回路３２で発生したデジタル値と、比較回路３３で比較する。判別回路３４は、雰囲気温度センサ４と装置温度センサ５からの信号を用いて、２つの温度センサの温度差を判別しており、２つの温度センサの温度差が５度以上と大きい時、基準電圧発生回路３２の判別しきい値を下げて、結露の検出速度を早くしている。
【０００９】
これは、雰囲気温度センサ４と装置温度センサ５の温度差が大きいほど、メカニズム部分に強い結露が発生しやすく、テープ保護のためには、より早く、結露を検出する必要があるためである。
【特許文献１】特開２００３−２９６９８７号公報
【特許文献２】特開２００２−１５４８６号公報
【特許文献３】実開昭６０−７９１５０号公報
【特許文献４】特開平９−３０５０５６号公報
【発明の開示】
【発明が解決しようとする課題】
【００１０】
磁気記録再生装置の場合、回転シリンダーとテープとが密着して、テープが走行するメカニズム部分で、回転シリンダー表面に結露が発生した場合、テープがシリンダーに張り付き、テープダメージや、ヘッド目詰まり等の不具合を発生する。
【００１１】
その対策として、結露を素早く検出して、自動的にテープ走行を止める又は、結露の発生を表示部分に表示して、使用者に注意を促す等の様々な、保護機能を至急動作させるように構成している。結露を素早く検出するためには、発生する結露をできるだけ早く検出できる仕組みが必要である。
【００１２】
上記の従来の構成では、強い結露が発生する状況（通常の湿度条件４０％〜６０％で、温度差が２０度以上と大きい環境間を移動させた場合など）の時、装置内部と外部の温度センサに大きな温度差が発生するので、その温度差を検出して、結露判別のしきい値を下げることができ、結露をより早く検出できて有効である。
【００１３】
しかし、環境間の移動前後の温度差が５度以内と小さくても、周囲の湿度が９０％以上である場合、比較的強い結露が発生する状況となる。例えば温度１５度・湿度９０％の環境から、温度２０度・湿度９０％の環境への移動でも、湿度が極めて高いため、比較的強い結露が発生する。
【００１４】
ところが、従来の構成では、内部と外部の温度センサの温度差が少ないため、温度差を使った検出感度の切り換え回路は働かない。その結果、検出感度は上がらず、素早く結露を検出することができないという問題点を有していた。このような、湿度が９０％以上と極めて高く、比較的低い温度差での環境移動時に発生する、比較的強い結露の場合に、従来例は対応できていなかったのである。
【００１５】
本発明は上記従来の問題点を解決するもので、比較的、温度差が少なく、極めて湿度が高い、例えば湿度９０％以上で、温度差５度以内といった環境移動でも、磁気記録再生装置の状況に応じて、検出感度を上げることができるという結露検出機能を有した磁気記録再生装置を提供することを目的とする。
【課題を解決するための手段】
【００１６】
この目的を達成するために、本発明の結露検出機能を有した磁気記録再生置は、湿度により抵抗値の変化する結露センサと、結露センサの抵抗値を電圧値の変化に変換する変換手段と、変換手段より出力された電圧値と所定のしきい値を比較することによって結露が発生したか、または結露が発生するおそれがある状態に至ったことを検出する検出手段と、カセット蓋が開いているのか、閉っているのかを検出するカセット蓋開閉検出手段と、カセット蓋開閉検出手段からの入力を判別する判別機能と、判別機能の結果を受けてカセット蓋が開いている時にしきい値を低下させるしきい値可変手段を備えた構成を有している。
【００１７】
この構成によって、比較的、温度差が少なく、極めて湿度が高い、例えば湿度９０％以上で、温度差５度以内の環境移動でも、下記に示すような、早期に結露の検出が必要な状況下での結露の検出感度を高めることができる。
【発明の効果】
【００１８】
以上のように本発明は、この構成によって、比較的、温度差が少なく、極めて湿度が高い環境（例えば、湿度９０％以上で、温度差５度以内）の移動でも、結露の検出感度を上げることができるという優れた効果が得られる。
【発明を実施するための最良の形態】
【００１９】
本発明の請求項１に記載の発明は、略密閉構造となった装置の結露を検出可能な結露検出装置であって、湿度を検出する湿度検出手段と、前記湿度検出手段で検出した湿度情報に基づき結露の発生を検出する結露検出手段と、装置の略密閉状態を開放及び閉鎖する開閉手段と、前記開閉手段の開閉状態を検出する開閉状態検出手段とを備え、前記結露検出手段は、前記開閉状態検出手段からの開閉状態情報に基づき結露検出感度を複数段階で切り換え可能とすることを特徴とするものである。
【００２０】
本発明の請求項２に記載の発明は、湿度により抵抗値の変化する結露センサと、結露センサの抵抗値を電圧値の変化に変換する変換手段と、変換手段より出力された電圧値と所定のしきい値を比較することによって結露が発生したか、または結露が発生するおそれがある状態に至ったことを検出する検出手段と、カセット蓋が開いているのか、閉っているのかを検出するカセット蓋開閉検出手段と、カセット蓋開閉検出手段からの入力を判別する判別機能と、判別機能の結果を受けてカセット蓋が開いている時にしきい値を低下させるしきい値可変手段を備えたことを特徴としたものであり、カセット蓋が開いた時、素早く、結露の発生を検出することができるという作用を有する。
【００２１】
請求項３に記載の発明は、カセット蓋開閉検出手段からの入力により、カセット蓋が一度でも開かれたことを記憶しておくためのメモリを備えたことを特徴としたものであり、カセット蓋が一度でも開かれた後は、再び閉じられてもメモリの情報をもとにして、しきい値を低下させ続けるという作用を有する。
【００２２】
請求項４に記載の発明は、カセット蓋が最後に閉じてから、一定の時間を計測するタイマを備え、一定の時間経過後、メモリの情報をもとにして一旦下げていたしきい値を、元のしきい値に戻すという作用を有する。
【００２３】
まず、本発明の全体概要について説明する。
【００２４】
本発明の結露検出機能を有した磁気記録再生置は、湿度により抵抗値の変化する結露センサと、結露センサの抵抗値を電圧値の変化に変換する変換手段と、変換手段より出力された電圧値と所定のしきい値を比較することによって結露が発生したか、または結露が発生するおそれがある状態に至ったことを検出する検出手段と、カセット蓋が開いているのか、閉っているのかを検出するカセット蓋開閉検出手段と、カセット蓋開閉検出手段からの入力を判別する判別機能と、判別機能の結果を受けてカセット蓋が開いている時にしきい値を低下させるしきい値可変手段を備えた構成を有している。
【００２５】
この構成によって、比較的、温度差が少なく、極めて湿度が高い、例えば湿度９０％以上で、温度差５度以内の環境移動でも、下記に示すような、早期に結露の検出が必要な状況下での結露の検出感度を高めることができる。
【００２６】
その状況とは、新規のテープカセット挿入や、テ―プカセットの交換などの理由で、カセット蓋（図６及び図７の１０１）が開くことである（図７の状態）。カセット蓋１０１が開いて、装置内部の冷えたメカニズム部分に、直接暖かく湿った空気（外気）が進入すると、比較的熱容量の大きいシリンダーの表面で結露が発生する。これは、回転シリンダー表面で急激に冷やされた外からの暖かい空気の中に含まれる水蒸気が、シリンダーの表面で水となって付着する現象である。この現象によるテープダメージ等の不具合をさけるためには、結露を素早く検出することが必要である。
【００２７】
結露を素早く検出するためには、発生する結露をできるだけ早く検出できる仕組みが必要である。そのためには、カセット蓋１０１が開いたことを検出することによって、結露検出の判定しきい値を下げ、周囲の環境条件が結露を発生させるような状況になっている場合、素早く結露の発生を検出できるわけである。もちろん、カセット蓋１０１を開けた場合に周囲の環境条件が結露を発生させるような状況になっていない場合は、下げたしきい値で結露を検出することはない。
【００２８】
一方、カセット蓋１０１が閉まっている場合（図６の状態）、カセット収納部分とテープ走行部分のすべての空間は、その構造上、ある程度の密閉性を持っている。特に可搬型カメラ一体型磁気記録再生装置においては、本体と一体化したカメラ部分で撮影する画像と同時に、本体に内蔵したマイクで音も収録するため、カセット収納部分とテープ走行部分で発生するテープ走行音やシリンダーの回転音などのメカニカルノイズをマイクで拾わないように、ますます密閉性を高めて、音を封じ込める様な構造を採用する傾向にある。その結果、テ―プ交換などの理由でカセット蓋１０１を開かない限り、メカニズム部分に直接外部から湿った空気が進入することはなく、内部と外部の温度差が２０度以上と大きい時も、内部の回転シリンダー表面での急激な温度差は発生せず、回転シリンダー表面に結露が発生することもない。
【００２９】
従って、同じ、環境間の移動にも関わらず、カセット蓋１０１が閉っている限り、結露を検出する必要はなく、テープ走行を止める必要もなく、結露の検出感度を上げる必要はない。環境間の移動を行って、周囲の気温と湿度の環境変化が、結露の発生するような状況になっている場合でも、カセット蓋１０１が閉っている場合は、むしろ、そのまま撮影を続行するようにして、二度と無い撮影機会を逃すことが無い用に、できる限り撮影できることを確保すべきである。
【００３０】
以上の構成により、カセット蓋１０１が開いているのか、閉っているのかを検出するカセット蓋開閉検出手段と、そのカセット蓋開閉検出手段からの入力を判別する判別機能からの出力を用いて、その後の処置を場合分けして、対応を分けることで、より精度の高い結露検出を行うことができる。
【００３１】
つまり、カセット蓋１０１が開いたことを検出した場合は、しきい値を低下させるしきい値可変手段を用いて、結露検出の判定しきい値を下げることにより、検出速度を早くする。これにより、もし周囲の環境条件が、結露を発生させるような、状況になっている場合、素早く結露の発生を検出し、保護機能を動作させることができる。
【００３２】
一方、カセット蓋１０１が開いたことを一度も検出しない場合は、しきい値はそのままで、結露検出の判定しきい値を下げることは無く、通常のしきい値で結露を判定する。この場合は、周囲の湿度が９０％以上と高く、移動前後の環境の温度差が５度以内と小さく、テープの走行不良や、ヘッドの目詰まりが生じない程度の軽い結露が発生する条件の場合、発生する軽い結露を検出しない場合もあり得る。
【００３３】
また、テープカセット交換等の手順が発生して、一旦カセット蓋１０１が開かれた後、、再びカセット蓋１０１が閉められた時、内部には既に外からの湿った高温の空気が入り込んでいる可能性がある。その時は、既にカセット扉１０１が閉じられていても、内蔵するメモリにその情報を記録し、そのメモリからの情報を使って、引き続きしきい値を低下させ続ける。このしきい値可変手段を用いて、結露検出の判定のためのしきい値を引き続き下げることにより、結露検出感度を切り替える。もし結露を発生させるような、状況が成立している場合には、カセット蓋１０１が閉まった後でも、結露の発生を低いレベルのしきい値で検出し、保護機能を動作させることができる。これは、結露センサの応答に一定の時間がかかるため、結露の検出精度を上げ、テープダメージやヘッド目詰まりの発生を防ぐために必要な処置である。
【００３４】
また、判別回路に相互に接続して設置したタイマを使って、カセット蓋１０１が閉じられてからの時間を計測し、一定の時間経過後、メモリの情報をもとにして一旦下げていた結露検出のしきい値を、元の通常しきい値に戻す機能を実現することができる。
【００３５】
カセット蓋１０１が最後に閉じられてから、タイマをリセットスタートし、あらかじめ定めた一定の時間が経過した後、しきい値を元のレベルに戻す。これは以下の理由によるる。磁気記録再生装置の電源を入れた後、ある程度の時間が経過して、内部の電気回路等の機器が消費する電力で、内部の温度が上昇すると、内部の水蒸気は一定なので、内部の温度が上昇した分だけ、相対湿度が低下して、結露が発生する可能性が低下する。
【００３６】
以上の理由により、結露が発生する可能性が十分小さくなった後に、メモリの情報をもとにして一旦下げていた結露検出のしきい値を、元の通常しきい値に戻すことができる訳である。
【００３７】
以下、本発明の実施の形態について、図面を用いて説明する。
【００３８】
（実施の形態１）
図１は本発明の実施の形態１における結露検出機能を有した磁気記録再生装置の構成を示すブロック図である。なお、本実施の形態において磁気記録再生装置の一例としてビデオカメラを用いて説明をしているが、これに限定されるものではなくあらゆる電子機器に利用することが可能である。以下の説明では、テープ状媒体が結露によってシリンダに貼り付くのを防止するための説明となっているため、ビデオカメラや据置型ＶＴＲに用いた場合を説明している。
【００３９】
図１において、１は磁気記録再生装置内部に配置され結露検出を行う結露センサで、周囲の湿度に応じて大きく抵抗値が変化するセンサである。通常は高感度の湿度センサで構成される。
【００４０】
２は変換回路で、結露センサ１の抵抗値の変化を電圧変化に変換する。通常は、結露センサ１の片側をＧＮＤに接続し、もう片側を一定電圧の電源回路に固定抵抗でプルアップして、結露センサ１との中点を取り出せば、結露センサ１の抵抗値変化を電圧値の変化として、取り出すことができる。なお、ＡＣノイズを抑えるためのデカップリングコンデンサや、電圧制限を行うためのダイオードなどを結露センサ１に並列に挿入する場合がある。
【００４１】
３のマイクロコンピュータは、組込み機器の全体の制御を行い、その機能の一部として、内部にアナログ／デジタル変換回路（以下、Ａ／Ｄ変換回路と記す）３１や、デジタル値での基準電圧発生回路３２、デジタル値の比較回路３３、デジタル値での判別回路３４、デジタル値でのメモリ３５、３６のデジタル値のタイマ等を内蔵する。
【００４２】
３１のＡ／Ｄ変換回路は、変換回路２で結露センサ１の抵抗値変化を電圧に変換した電圧のアナログ入力を、マイクロコンピュータ３の内部で処理できるデジタル値に変換する。
【００４３】
３２の基準電圧発生回路は、後段の比較回路３３で結露かどうかを判定するための判定基準をデジタル値で作り出す回路で、判別回路３４からの信号により、しきい値を変えることができる。
【００４４】
３３の比較回路は、Ａ／Ｄ変換回路３１からの結露センサ１の変化を表すデジタル値と、基準電圧発生回路３２からの判定基準であるデジタル値とを比較する。Ａ／Ｄ変換回路３１からのデジタル値が、基準電圧発生回路３２のデジタル値を上回っている時、「結露発生」又は「結露が発生するおそれがある状況」であると判断する。
【００４５】
６の表示部は、比較回路３３の判定結果を受けて、使用者に結露を検出したことを表示し注意を促すもので、例えばビデオカメラの場合、装置本体に搭載された大型液晶モニタや電子ビューファインダーに相当する。またマイクロコンピュータ３は比較回路３３の判定結果を受けて、結露発生時は、テープ走行を止める、結露解消用のヒータの電源を入れる、結露を解除するまでの時間をカウントするタイマをセットする、等の処置を行う。
【００４６】
７のカセット蓋開閉検出手段は、カセット蓋１０１が開いているか（図７の状態）閉じているか（図６の状態）を検出して、その検出結果を判別回路３４へ送る。通常はメカニカルなディテクタータイプのスイッチを使用し、カセット蓋１０１が閉まり切ったところでスイッチが押されるか、カセット蓋１０１が開き切ったところでスイッチが押されるかのどちらかの方法が採用されることが多い。カセット蓋開閉検出手段としては、開と閉の両方を検出したり、途中も含めて検出したりする機構のものも考えられる。
【００４７】
なお、結露センサ１及び変換回路２とで湿度検出手段を構成し、Ａ／Ｄ変換回路３１と基準電圧発生回路３２と比較回路３３とで結露検出手段を構成し、カセット蓋１０１は開閉手段を構成し、判別回路３４は開閉状態検出手段を構成している。
【００４８】
また、本実施の形態におけるしきい値の切り換え動作は、図８（ａ）の模式図のようになる。
【００４９】
以上のように構成された本実施の形態の磁気記録再生装置について、以下その動作を説明する。
【００５０】
図４は結露センサ１の特性図である。結露センサ１は通常、ある程度の時間差を持って周囲の湿度を検知し、抵抗値の変化を起こす。その抵抗値の変化を電圧値の変化に変換した値をプロットしている。縦軸に電圧をプロットし、通常のしきい値電圧Ｖ１及び、下げた時のしきい値電圧Ｖ２も縦軸に表示している。横軸に時間をプロットし、通常のしきい値電圧Ｖ１を越えるまでの時間Ｔ１及び、下げた時のしきい値電圧Ｖ２を越えるまでの時間Ｔ２も、横軸にも表示している。図４に示すように、通常のしきい値電圧Ｖ１で結露を判定するまでにかかる時間Ｔ１よりも、下げたしきい値電圧Ｖ２で結露を判定するまでにかかる時間Ｔ２時間の方が短くなる。つまり、しきい値電圧を下げることにより、より早く結露を検出できるようになるのである。
【００５１】
次に、図１を使って本実施の形態１の動作を説明する。
【００５２】
結露センサ１で、周囲の湿度を測定し抵抗値の変化として出力する。その抵抗値の変化を変換回路２で、電圧変化に変換する。次に、マイクロコンピュータ３の内部のＡ／Ｄ変換回路３１で、電圧のアナログ変化をデジタル値に変換する。一方、基準電圧発生回路３２は、次の比較回路３３で結露かどうかを判定するための判定基準をデジタル値で作り出す回路で、判別回路３４からの信号により、しきい値を変えることができる。比較回路３３は、Ａ／Ｄ変換回路３１からの結露センサ１の変化を表すデジタル値と、基準電圧発生回路３２からのデジタル値とを比較する。Ａ／Ｄ変換回路３１からのデジタル値が、基準電圧発生回路３２のデジタル値を上回っている時、「結露発生」又は「結露が発生するおそれがある状況」であると判断する。表示部６は比較回路３３の判定結果を受けて、使用者に結露を検出したことを表示し注意を促す。
【００５３】
ここで、図６及び図７は本実施の形態の磁気記録再生装置の一例であるビデオカメラのカセット蓋１０１を開閉状態をそれぞれ示した斜視図である。図において、１００はビデオカメラ本体、１０１はカセット蓋、１０３はカセット蓋１０１を閉じた状態から開くために操作するスイッチで、本実施の形態ではスライドスイッチを用い、スライドさせることで内部のエジェクト機構及び回路が作動し、カセット蓋１０１が開くようになっている。１０２は内部にテープ状媒体を内包したテープカセット、１０４はテープカセット１０２を保持させるためのカセットホルダーである。
【００５４】
まず図６の状態からスイッチ１０３を操作することで装置内部のエジェクト機構及び回路が作動し、カセット蓋１０１を矢印Ｃ方向へ電動にて開くことができる。その状態が図７である。この状態では内部のカセットホルダーが目視可能な状態となっているので、テープカセット１０２を矢印Ａ方向へ移動させ、カセットホルダー１０４内にテープカセット１０２を装填する。この時、図１のカセット蓋開閉検出手段７は。カセット蓋１０１が開いていることを検出して、判別回路３４へ信号を送り、その信号で基準電圧発生回路３２内の検出しきい値を下げて（図４のしきい値Ｖ２に設定する）、結露の検出をしやすくする。つまり、図４の結露検出時間Ｔ２で検出することができるわけである。
【００５５】
反対に、カセット蓋開閉検出手段７がカセット蓋１０１が閉まっていることを検出している限り、判別回路３４への信号は送られず、基準電圧発生回路３２内の検出しきい値は通常のまま（図４のしきい値Ｖ１）で、結露の検出は通常のしきい値で行う。つまり、図４の結露検出時間Ｔ１で検出する。
【００５６】
なお、カセット蓋１０１を閉じる際は、カセット蓋１０１を手動あるいは自動にて矢印Ｂ方向へ回動させ、ビデオカメラ本体１００に対して閉じた状態とし、図６の状態とする。
【００５７】
以上のように本実施の形態１によれば、カセット蓋開閉検出手段７を新たに結露検出の条件として設けることにより、カセット蓋１０１が開らかれるという、内部の回転シリンダーおよびテープ走行系のメカニズムに結露が発生しやすい状況の時に限って、検出のしきい値を下げ、結露センサ１の変化を検出しやすくすることができる。
【００５８】
（実施の形態２）
図２は本発明の実施の形態２の結露検出機能を有した磁気記録再生装置の構成を示すブロック図である。図１の構成と異なるのは、記録手段であるメモリ３５を、カセット蓋開閉検出手段７と判別回路３４との間に追加した点である。メモリ３５は、カセット蓋が過去に一度でも開けられたことがあるかどうかの情報を保存するのに使用する。通常はマイクロコンピュータ３の機能の一部として存在する汎用のメモリの一部を利用するので、実現ために大幅なコストアップにはつながらない。
【００５９】
また、本実施の形態におけるしきい値の切り換え動作は、図８（ｂ）の模式図のようになる。
【００６０】
以上のように構成された本発明の実施の形態２の結露検出機能を有した磁気記録再生装置について、以下その動作を説明する。
【００６１】
まず、図２において、カセット蓋開閉検出手段７の入力を受けて、過去一回でもカセット蓋１０１が開かれたことを、メモリ３５に情報として格納しておき、実際にカセット蓋１０１が閉じられた後も、引き続きメモリ３５からの情報で検出のしきい値を下げた状態で検出を継続するように構成する。
【００６２】
つまり、メモリ３５を使ってカセット蓋１０１のカセット開閉検出スイッチ７からの結果を記憶しておくことによって、たとえ開かれた時間が数十秒以内と短い時でも、カセット蓋１０１が開いた時に、湿った暖かい空気が侵入したために結露が発生する可能性があるので、カセット蓋結露検出のしきい値を下げ、カセット蓋が閉じられた後も、引き続き結露を検出しやすくしておく。
【００６３】
以上のように本実施の形態によれば、カセット開閉検出スイッチ７の検出結果を記憶するメモリ３４を備えることで、カセット蓋１０１が短時間開かれすぐに閉じた場合も、低いしきい値（図４のＶ２）で結露検出を行う構成としたので、短時間開閉時でも早く結露検出を行うことができる。
【００６４】
（実施の形態３）
図３は本発明の実施の形態３の結露検出機能を有した磁気記録再生装置の構成を示すブロック図である。図２の構成と異なるのは、計時手段であるタイマ３６を、判別回路３４に接続する形で追加した点である。タイマ３６は、カセット蓋１０１が閉じられてからの時間を計測するのに使用する。これも、通常はマイクロコンピュータ３の機能の一部として存在するタイマを利用するので、実現するのに大幅なコストアップにはつながらない。
【００６５】
また、本実施の形態におけるしきい値の切り換え動作は、図８（ｃ）の模式図のようになる。
【００６６】
以上のように構成された本発明の実施の形態３の結露検出機能を有した磁気記録再生装置について、以下その動作を説明する。
【００６７】
まず、カセット蓋１０１が最後に開かれてから閉じられた後、一定の時間が経過すると、内部の電気回路等の機器が消費する電力で、内部の温度が上昇する。内部の水蒸気は一定なので、内部の温度が上昇した分だけ、相対湿度が低下して、結露が発生する可能性が低下する。結露が発生する可能性が十分小さくなった後、メモリ３５の情報をもとにして一旦下げていた結露検出のしきい値を、元の通常しきい値に戻すことができる。カセット蓋１０１が最後に閉じられてからの時間を、図３に示すタイマ３６で計測することにより、一定の時間経過後、メモリ３５の情報をもとにして一旦下げていた結露検出のしきい値を、元の通常しきい値に戻す機能を実現することができる。
【００６８】
なお、以上の説明では検出しきい値を２つのレベルとしたが、カセット蓋１０１が閉じてからの経過時間によって、もう少し細かく複数レベルのしきい値を設けることもできる。この場合、より細かく結露の検出しやすさを制御できる。
【００６９】
又、カセット扉の開いている時間を加味して、タイマによるしきい値を下げた状態を保持する時間の長さを変えるように構成することもできる。これにより、より細かく、使用者の撮影機会の確保とテープ保護の両立を計ることができる。
【産業上の利用可能性】
【００７０】
本発明は、装置の結露を検出可能な結露検出装置に関するものであり、特にテープ状媒体を利用したビデオカメラなどの磁気記録再生装置に利用して有効なものであるが、本結露検出装置を搭載する装置は磁気記録再生装置以外に、様々なものが考えられる。
【図面の簡単な説明】
【００７１】
【図１】本発明の実施の形態１における結露検出機能を有した磁気記録再生装置のブロック図
【図２】同実施の形態２における結露検出機能を有した磁気記録再生装置のブロック図
【図３】同実施の形態３における結露検出機能を有した磁気記録再生装置のブロック図
【図４】同実施の形態における結露検出機能を有した磁気記録再生装置の動作説明のための結露センサ１の特性図
【図５】従来の結露検出機能を有した磁気記録再生装置のブロック図
【図６】磁気記録再生装置の一例であるビデオカメラの外観斜視図（カセット蓋が閉じた状態）
【図７】磁気記録再生装置の一例であるビデオカメラの外観斜視図（カセット蓋が開いた状態）
【図８】本発明の実施の形態１〜３におけるしきい値の切換動作を示す模式図
【符号の説明】
【００７２】
１    結露センサ
２    変換回路
３    マイクロコンピュータ
４    雰囲気温度センサ
５    装置温度センサ
６    表示部
７    カセット蓋開閉検出手段
３１    Ａ／Ｄ変換回路
３２    基準電圧発生回路（しきい値可変手段）
３３    比較回路（検出手段）
３４    判別回路（しきい値可変手段）
３５    メモリ
３６    タイマ
【図１】
2005203054.tif 000003
【図２】
2005203054.tif 000004
【図３】
2005203054.tif 000005
【図４】
2005203054.tif 000006
【図５】
2005203054.tif 000007
【図６】
2005203054.tif 000008
【図７】
2005203054.tif 000009
【図８】
2005203054.tif 000010